(57)【特許請求の範囲】
【請求項１】
スレート葺き屋根を形成しているスレートの上面に配設される基礎部材を含んで構成され、この基礎部材に屋根上設置物が固定される屋根上設置物の取付具において、
前記基礎部材は、一部同士が上下に重なり合っている上側のスレートと下側のスレートとに跨って配置されるものとなっており、この基礎部材と前記下側のスレートとの間に挿入される部材となっていて、前記上側のスレートの厚さ分と対応する厚さを有する段差解消部材を含んで構成され、
前記段差解消部材は、前記基礎部材と前記下側のスレートとの間で前記上側のスレートに向かって挿入される挿入長さが調整可能となっており、
この挿入長さの調整により、前記段差解消部材は、前記上側のスレートに近づけられて前記基礎部材と前記下側のスレートとの間に挿入され、
前記基礎部材には、この基礎部材を前記下側のスレートに止着するための止着具を挿入するための孔が形成されているとともに、前記段差解消部材はこの止着具により前記下側のスレートに止着され、前記段差解消部材には、前記止着具が挿入可能となっている複数の孔が前記段差解消部材の前記挿入方向に間隔を開けて形成されており、
前記段差解消部材に形成されているこれらの孔のうち、前記挿入長さの調整により選択された１個の孔に前記止着具が挿入されることにより、この止着具によって前記基礎部材と前記段差解消部材とが前記下側のスレートに止着されることになるとともに、前記段差解消部材に形成されている前記複数個の孔のうち、前記選択された１個の孔を含む少なくとも前記１個の孔は前記基礎部材によって隠される状態となり、
前記基礎部材には、この基礎部材に形成されている前記孔の位置を示すマークが設けられ、前記段差解消部材には、この段差解消部材に形成されているそれぞれの前記孔の位置を示すマークが設けられ、
前記段差解消部材は、この段差解消部材を前記基礎部材と前記下側のスレートとの間に挿入したときに前記基礎部材からはみ出すことになるはみ出し部を有しており、このはみ出し部は、前記挿入方向と直交する前記段差解消部材の幅方向に設けられているとともに、前記段差解消部材の前記マークは、前記段差解消部材のうち、少なくとも前記はみ出し部に設けられていることを特徴とする屋根上設置物の取付具。
【請求項２】
請求項１に記載の屋根上設置物の取付具において、前記段差解消部材の前記マークが設けられている前記はみ出し部は、前記段差解消部材の幅方向両側に設けられていることを特徴とする屋根上設置物の取付具。
【請求項３】
請求項１又は２に記載の屋根上設置物の取付具において、前記基礎部材の前記マークは、前記挿入方向と直交する前記基礎部材の幅方向に延びるものとなっているとともに、前記段差解消部材の前記マークは、前記挿入方向と直交する前記基礎部材の幅方向に延びるものとなっていることを特徴とする屋根上設置物の取付具。
【請求項４】
請求項１〜３のいずれかに記載の屋根上設置物の取付具において、前記基礎部材の上に、この基礎部材に対する前記屋根上設置物の高さ位置を調整するために配置される高さ位置調整部材を含んで構成され、この高さ位置調整部材の下面には、前記基礎部材に対する前記高さ位置調整部材のずれ防止用の凸部又は凹部が形成されていることを特徴とする屋根上設置物の取付具。
【請求項５】
請求項４に記載の屋根上設置物の取付具において、前記高さ位置調整部材は、複数個が上下に重ねられて前記基礎部材の上に配置され、下側の高さ位置調整部材の上面と上側の高さ位置調整部材の下面とのうち、一方には凹部が、他方には凸部がそれぞれ設けられ、これらの凹部と凸部は、前記下側の高さ位置調整部材に対する前記上側の高さ位置調整部材のずれ防止のために嵌合可能となっていることを特徴とする屋根上設置物の取付具。
【請求項６】
請求項１〜５のいずれかに記載の屋根上設置物の取付具において、前記屋根上設置物は、太陽光発電のためのソーラーパネルであることを特徴とする屋根上設置物の取付具。
【発明の詳細な説明】
【技術分野】
【０００１】
本発明は、スレート葺き屋根の上に設置される屋根上設置物をスレート葺き屋根に取り付けるために用いられる取付具に係り、例えば、太陽光発電のためのソーラーパネルや温水器、屋根看板等の屋根上設置物を屋根に取り付けるために利用できるものである。
【背景技術】
【０００２】
太陽光発電のためのソーラーパネルは、屋根の上に設置される屋根上設置物となっており、このソーラーパネルをスレート葺き屋根に取り付けるための取付具は、下記の特許文献１に示されている。この取付具は、スレート葺き屋根を形成しているスレートの上面に配設される基礎部材を含んで構成され、この基礎部材に屋根上設置物が固定されるようになっている。
【先行技術文献】
【特許文献】
【０００３】
【特許文献１】特開２００３−８２８２４号公報
【発明の概要】
【発明が解決しようとする課題】
【０００４】
多数のスレートの並設で形成されるスレート葺き屋根は、互いに隣接している２枚のスレートの一部同士を上下に重なり合わせている。このため、取付具の上記基礎部材が、一部同士が重なり合っている上側のスレートと下側のスレートとに跨って配置される場合には、基礎部材と下側のスレートとの間に、上側のスレートの厚さに相当する分の段差が生ずることになり、この段差は隙間であるため、スレート葺き屋根に配設される基礎部材が不安定になってしまう。
【０００５】
本発明の目的は、基礎部材をスレート葺き屋根に安定させて配設することができるようになる屋根上設置物の取付具を提供するところにある。
【課題を解決するための手段】
【０００６】
本発明に係る屋根上設置物の取付具は、スレート葺き屋根を形成しているスレートの上面に配設される基礎部材を含んで構成され、この基礎部材に屋根上設置物が固定される屋根上設置物の取付具において、前記基礎部材は、一部同士が上下に重なり合っている上側のスレートと下側のスレートとに跨って配置されるものとなっており、この基礎部材と前記下側のスレートとの間に挿入される部材となっていて、前記上側のスレートの厚さ分と対応する厚さを有する段差解消部材を含んで構成されていることを特徴とするものである。
【０００７】
この取付具は、基礎部材と下側のスレートとの間に挿入される部材となっていて、上側のスレートの厚さ分と対応する厚さを有する段差解消部材を含んで構成されているため、基礎部材が、一部同士が上下に重なり合っている上側のスレートと下側のスレートとに跨って配置されても、基礎部材と下側のスレートとの間に生ずる上側のスレートの厚さに相当する分の段差をこの段差解消部材により解消することができ、このため、基礎部材をスレート葺き屋根に安定させて配設できるようになる。
【０００８】
本発明において、段差解消部材は、基礎部材と下側のスレートとの間に挿入される挿入長さが一定となっているもの、言い換えると、この挿入長さが調整不能となっているものでもよいが、この段差解消部材は、基礎部材と下側のスレートとの間で上側のスレートに向かって挿入される挿入長さが調整可能となっていることがより好ましい。
【０００９】
このように段差解消部材が、基礎部材と下側のスレートとの間で上側のスレートに向かって挿入される挿入長さが調整可能となっているものとなっていると、上側のスレートに対する基礎部材の位置に応じて、段差解消部材を基礎部材と下側のスレートとの間で上側のスレートに向かって挿入するための挿入長さを調整できることになるため、段差解消部材を上側のスレートにできるだけ近づけて基礎部材と下側のスレートとの間に挿入することができ、これにより、基礎部材をスレート葺き屋根に一層安定させて配設できるようになる。
【００１０】
また、基礎部材に、この基礎部材を下側のスレートに止着するための止着具を挿入するための孔が形成されているとともに、段差解消部材がこの止着具により下側のスレートに止着される場合には、段差解消部材には、上記止着具が挿入可能となっている複数の孔を段差解消部材の上記挿入方向に間隔を開けて形成するようにする。
【００１１】
これによると、段差解消部材を基礎部材と下側のスレートとの間で上側のスレートに向かって挿入するための挿入長さを調整する際に、段差解消部材に複数形成されている孔のうち、止着具を挿入する一つの孔を選択することにより、止着具を基礎部材の孔と段差解消部材の孔とに挿入して、これらの基礎部材と段差解消部材を止着具によってスレート葺き屋根に固定できるようになる。
【００１２】
また、このように基礎部材に、この基礎部材を下側のスレートに止着するための止着具を挿入するための孔が形成され、段差解消部材には、止着具が挿入可能となっている複数の孔を段差解消部材の前記挿入方向に間隔を開けて形成する場合には、基礎部材に、この基礎部材に形成されている前記孔の位置を示すマークを設けるとともに、段差解消部材に、この段差解消部材に形成されているそれぞれの前記孔の位置を示すマークを設けることが好ましい。
【００１３】
これによると、基礎部材に設けられているマークと、段差解消部材に設けられているマークとを一致させることにより、止着具を挿入する基礎部材の孔と段差解消部材の孔とを自ずと一致させることができ、これらの孔を一致させる作業を容易に行えるようになる。
【００１４】
さらに、段差解消部材が、この段差解消部材を基礎部材と下側のスレートとの間に挿入したときに基礎部材からはみ出すことになるはみ出し部を有している場合には、段差解消部材のマークを、段差解消部材のうち、少なくともこのはみ出し部に設けることが好ましい。
【００１５】
これによると、段差解消部材を基礎部材と下側のスレートとの間に挿入しても、上記はみ出し部は基礎部材からはみ出しており、このはみ出し部に段差解消部材のマークが設けられているため、このマークを基礎部材に設けられているマークと一致させるまで、段差解消部材を基礎部材と下側のスレートとの間で上側のスレートに向かって挿入する作業を容易に行えるようになる。
【００１６】
なお、基礎部材に設けるマークと段差解消部材に設けるマークは、例えば、Ｖ字溝等の溝でもよく、塗料等を用いて描いた表示物でもよく、任意な形態のマークでよい。
【００１７】
また、本発明に係る取付具は、基礎部材の上に、この基礎部材に対する屋根上設置物の高さ位置を調整するために配置される高さ位置調整部材を含んで構成されたものとなっていてもよい。
【００１８】
このように本発明に係る取付具が、基礎部材の上に、この基礎部材に対する屋根上設置物の高さ位置を調整するために配置される高さ位置調整部材を含んで構成される場合には、この高さ位置調整部材の下面に、基礎部材に対する高さ位置調整部材のずれ防止用の凸部又は凹部を形成することが好ましい。
【００１９】
これによると、基礎部材の上に高さ位置調整部材を配置しても、ずれ防止用の凸部又は凹部により、基礎部材に対して高さ位置調整部材がずれることが防止されるため、基礎部材の上に高さ位置調整部材を安定させて配置することができる。
【００２０】
また、複数個の高さ位置調整部材が上下に重ねられて基礎部材の上に配置される場合には、下側の高さ位置調整部材の上面と上側の高さ位置調整部材の下面とのうち、一方には凹部を、他方には凸部をそれぞれ設け、これらの凹部と凸部を、下側の高さ位置調整部材に対する上側の高さ位置調整部材のずれ防止のために嵌合可能とすることが好ましい。
【００２１】
これによると、複数個の高さ位置調整部材を上下に重ねて基礎部材の上に配置しても、これらの高さ位置調整部材は、凹部と凸部の嵌合によりずれが防止されるため、これらの高さ位置調整部材を、安定させて基礎部材の上に上下に重ねて配置できるようになる。
【００２２】
本発明において、一部同士が上下に重なり合っている上側のスレートと下側のスレートは、屋根の流れ方向（屋根の勾配方向）に配置されたスレートでもよく、あるいは、屋根の流れ方向と直交する方向（屋根の桁行方向）に配置されたスレートでもよい。
【００２３】
また、本発明に係る取付具により屋根の上に設置される屋根上設置物は、太陽光発電のためのソーラーパネルでもよく、温水器でもよく、屋根看板でもよく、本発明は任意な屋根上設置物について適用することができる。
【発明の効果】
【００２４】
本発明によると、基礎部材をスレート葺き屋根に安定させて配設できるようになるという効果を得られる。
【図面の簡単な説明】
【００２５】
【図１】図１は、本発明の一実施形態に係る取付具が適用されているスレート葺き屋根と屋根上設置物を示す平面図である。
【図２】図２は、図１のＳ２−Ｓ２線断面図である。
【図３】図３は、図１のＳ３−Ｓ３線断面図である。
【図４】図４は、図１のＳ４−Ｓ４線断面図である。
【図５】図５は、図２〜図４で示されているそれぞれの取付具を構成する部材のうち、共通化されている部材を示す取付具の分解斜視図である。
【図６】図６は、段差解消部材を示す斜視図である。
【図７】図７は、高さ位置調整部材を示す斜視図である。
【図８】図８は、段差解消部材の挿入長さと高さ位置調整部材の使用個数とについての第１番目の例を示す図３と同様の図である。
【図９】図９は、段差解消部材の挿入長さと高さ位置調整部材の使用個数とについての第２番目の例を示す図３と同様の図である。
【図１０】図１０は、段差解消部材の挿入長さと高さ位置調整部材の使用個数とについての第３番目の例を示す図３と同様の図である。
【図１１】図１１は、厚さが異なる複数個の高さ位置調整部材を用意した実施形態を示す図である。
【発明を実施するための形態】
【００２６】
以下に本発明を実施するための形態を図面に基づいて説明する。図１には、本発明の一実施形態に係る取付具が適用されている屋根と屋根上設置物の平面図が示されており、この屋根は、屋根仕上げ材がスレート２となっているスレート葺き屋根１であり、また、屋根上設置物は、太陽光発電のためのソーラーパネル３である。図１では、スレート葺き屋根１の上に２個のソーラーパネル３が屋根の流れ方向（屋根の勾配方向）に並設され、これらのソーラーパネル３は、屋根１とソーラーパネル３との間に配設された本実施形態に係る複数個の取付具１０により、屋根１に取り付けられている。
【００２７】
これらの取付具１０の側面図は図２〜図４に示されており、図２は、図１のＳ２−Ｓ２線断面図であり、図３は、図１のＳ３−Ｓ３線断面図であり、図４は、図１のＳ４−Ｓ４線断面図である。それぞれの取付具１０は、スレート葺き屋根１を形成するためにこの屋根１の流れ方向に並設されているそれぞれのスレート２のうち、互いに隣接していて一部同士が上下に重なり合っている２枚のスレート２の上面に配置され、取付具１０が跨って配置されているこれらのスレート２のうち、一方のスレート２は上側のスレート２Ａであり、他方のスレート２は下側のスレート２Ｂである。
【００２８】
さらに、それぞれの取付具１０は、図２〜図４に示されているように、ソーラーパネル３の上面を下向きに押さえ付けて屋根１にソーラーパネル３を固定するための部材となっている固定部材１１，１２を除くと、共通化されている複数個の構成部材により構成されている。この共通化されている複数個の構成部材は図５に示されており、これらの構成部材は、基礎部材２０と、段差解消部材２１と、ナット２３付きの固定ボルト２２と、高さ位置調整部材２４である。そして、これらの基礎部材２０と、段差解消部材２１と、ナット２３付きの固定ボルト２２と、高さ位置調整部材２４と、上述の固定部材１１又は１２と、図２〜図４に示された固定ボルト２２に螺合されているナット２５とにより、それぞれの取付具１０が構成されている。
【００２９】
図５に示すとおり、基礎部材２０は、平面形状が長方形となっていて、短辺寸法がＷ１となっている板状のベース部２０Ａと、このベース部２０Ａに、上方へ突出した状態で設けられ、ベース部２０Ａの長辺方向（ベース部２０Ａの長さ方向）への長さを有している突起部２０Ｂとからなる。この突起部２０Ｂについてのベース部２０Ａの長さ方向の長さは、ベース部２０Ａの長さよりも短くなっており、また、この突起部２０Ｂは、ベース部２０Ａの短辺方向（ベース部２０Ａの幅方向）に互いに向かい合って一対設けられている。一対の突起部２０Ｂのそれぞれは、ベース部２０Ａから立ち上がっている立上り部３０と、これらの立上り部３０の上端に、ベース部２０Ａの幅方向両側への立上り部３０からの突出長さを有して形成されている段部３１と、これらの段部３１におけるベース部２０Ａの幅方向外側の端部から起立している起立部３２と、これらの起立部３２の上端からベース部２０Ａの幅方向外側へ延出している延出部３３とからなる。また、これらの立上り部３０と段部３１と起立部３２と延出部３３は、それぞれの突起部２０Ｂについて、突起部２０Ｂの全長に渡って連続して形成されたものとなっている。
【００３０】
一対の突起部２０Ｂの立上り部３０同士の間の隙間には、上述した固定ボルト２２の頭部２２Ａが挿入され、この固定ボルト２２の軸部２２Ｂは、一対の突起部２０Ｂの段部３１同士の間の隙間から上方へ延出している。固定ボルト２２を基礎部材２０の長さ方向へスライドさせて適切な位置にこのボルトを配置した後に、固定ボルト２２に螺合させているナット２３をそれぞれの段部３１の上面に回転させて当接させ、このナット２３をさらに回転させて締め付けることにより、固定ボルト２２は、基礎部材２０の所定位置に固定される。
【００３１】
また、基礎部材２０には、一対の突起部２０Ｂの立上り部３０において、固定ボルト２２が屋根１の流れ方向下側へスライドすることを阻止するためのスライド阻止手段を構成するスプリングピン２６が配置されている。このスプリングピン２６は、一対の突起部２０Ｂの立上り部３０に設けられた孔２７に圧入されることにより、一対の突起部２０Ｂに架け渡された状態で基礎部材２０に取り付けられる。このようにスプリングピン２６が取り付けられた基礎部材２０は、図２〜図４に示されているように、一部同士が上下に重なり合っている上側のスレート２Ａと下側のスレート２Ｂのそれぞれの上面に跨って配置されるとともに、この配置は、スプリングピン２６を屋根１の流れ方向下側にして行われる。このため、例えば、ナット２３が緩むなどした場合に、固定ボルト２２の自重や、後述するようにこの固定ボルト２２に配置される固定部材１１，１２の自重、さらには、これらの固定部材１１，１２で固定されるソーラーパネル３の重量により、固定ボルト２２が屋根１の流れ方向下側にスライドすることがあっても、固定ボルト２２の頭部２２Ａがスプリングピン２６に当たることにより、固定ボルト２２がそれ以上スライドすることが阻止され、これにより、固定ボルト２２が基礎部材２０から脱落することを防止できるようになっている。
【００３２】
図５に示されているように、基礎部材２０のベース部２０Ａの長さ方向の両端部には、止着具３５，３６が挿入される孔３７，３８が形成されており、これらの孔３７，３８に上から挿入される止着具３５，３６により、図２〜図４に示されているとおり、上側のスレート２Ａと下側のスレート２Ｂとに跨って配置された基礎部材２０は、これらの上側のスレート２Ａ及び下側のスレート２Ｂと、これらのスレート２Ａ、２Ｂの下に配置されている垂木や野地板等の屋根下地材４とに止着される。
【００３３】
また、図２〜図４に示されているように、前述した段差解消部材２１は、基礎部材２０が上側のスレート２Ａ及び下側のスレート２Ｂと屋根下地材４とに止着具３５，３６で止着される際に、基礎部材２０のベース部２０Ａと下側のスレート２Ｂとの間に挿入されるものとなっている。図２に示されているとおり、板状となっている段差解消部材２１の厚さ寸法Ｔ１は、上側のスレート２Ａの厚さ寸法Ｔ２と対応しているため、言い換えると、Ｔ１はＴ２と同じ寸法又は略同じ寸法になっているため、段差解消部材２１が基礎部材２０のベース部２０Ａと下側のスレート２Ｂとの間に挿入されることにより、上側のスレート２Ａと下側のスレート２Ｂとの間のＴ２に相当する上下の段差が解消されることになる。
【００３４】
なお、Ｔ２は、スレート葺き屋根１を形成しているそれぞれのスレート２の厚さ寸法でもある。
【００３５】
板状の部材となっている段差解消部材２１には、図５に示されているように、段差解消部材２１が基礎部材２０のベース部２０Ａと下側のスレート２Ｂとの間に挿入されたときに、基礎部材２０のベース部２０Ａに形成されている上述の孔３７に上から挿入された止着具３５をさらに挿入することができる孔４０が、段差解消部材２１の厚さ方向に貫通して形成されている。このため、これらの孔３７と４０に挿入した止着具３５により基礎部材２０を下側のスレート２Ｂと屋根下地材４とに止着することにより、段差解消部材２１も止着具３５により下側のスレート２Ｂと屋根下地材４とに止着されることになる。
【００３６】
段差解消部材２１に形成されている孔４０は、基礎部材２０のベース部２０Ａと下側のスレート２Ｂとの間での段差解消部材２１の上記挿入方向における段差解消部材２１の一方の端部２１Ａから、言い換えると、段差解消部材２１における屋根１の流れ方向上側の端部２１Ａから一定間隔で複数個、本実施形態では４個４０Ａ，４０Ｂ，４０Ｃ，４０Ｄ設けられている。したがって、基礎部材２０の孔３７を基準として、段差解消部材２１を基礎部材２０のベース部２０Ａと下側のスレート２Ｂとの間に上側のスレート２Ａに向かって挿入することができる挿入長さは、Ｌ１，Ｌ２，Ｌ３，Ｌ４の４段階に調整可能となっている。
【００３７】
また、基礎部材２０のベース部２０Ａの表面には、孔３７の位置を示すマーク４１が設けられ、段差解消部材２１の表面にも、孔４０の位置を示すマーク４２が設けられている。孔４０は４個４０Ａ〜４０Ｄ設けられているため、マーク４２も４個４２Ａ〜４２Ｄ設けられている。これらのマーク４１，４２は、孔３７，４０から基礎部材２０の幅方向両側へ延びるものとなっているとともに、本実施形態のマーク４１，４２はＶ字溝によるものとなっている。
【００３８】
基礎部材２０のベース部２０Ａについての基礎部材２０の幅方向の寸法はＷ１であり、段差解消部材２１についての基礎部材２０の幅方向の寸法は、Ｗ１よりも大きいＷ２である。このため、段差解消部材２１の幅方向両側には、この段差解消部材２１を基礎部材２０のベース部２０Ａと下側のスレート２Ｂとの間に挿入したときにベース部２０Ａからはみ出すことになるはみ出し部２１Ｂが設けられていることになる。段差解消部材２１のマーク４２Ａ〜４２Ｄはこれらのはみ出し部２１Ｂまで達しているため、これらのマーク４２Ａ〜４２Ｄは、はみ出し部２１Ｂにも設けられていることになる。
【００３９】
このため、基礎部材２０のベース部２０Ａの孔３７に挿入する止着具３５を、段差解消部材２１の４個の孔４０のうち、いずれか１個の孔４０にも挿入するために、段差解消部材２１を基礎部材２０のベース部２０Ａと下側のスレート２Ｂとの間に挿入したときに、止着具３５を挿入する段差解消部材２１の孔４０が基礎部材２０のベース部２０Ａによって隠されていても、基礎部材２０のマーク４１と段差解消部材２１のマーク４２とを一致させることにより、止着具３５を挿入する段差解消部材２１の孔４０の位置と基礎部材２０の孔３７の位置とを自ずと一致させることができる。
【００４０】
図６は段差解消部材２１だけを示している。段差解消部材２１は、金属製の基板４５と、この基板４５の下面に貼付され、ブチルゴム等の弾性材料で形成された弾性板４６と、この弾性板４６の下面に設けられた粘着剤４７と、この粘着剤４７を覆っている剥離紙４８とからなる。段差解消部材２１を基礎部材２０のベース部２０Ａと下側のスレート２Ｂとの間に挿入するときには、剥離紙４８を取り除き、粘着剤４７により段差解消部材２１を下側のスレート２Ｂの上面に固定する。
【００４１】
なお、図２で示した段差解消部材２１の厚さ寸法Ｔ１は、剥離紙４８を除外した寸法である。
【００４２】
図５で説明した高さ位置調整部材２４は、金属製の板材で形成されているとともに、この高さ位置調整部材２４は、基礎部材２０の前述した一対の突起部２０Ｂの延出部３３の上に載せられる個数が選択されることにより、基礎部材２０に対するソーラーパネル３の高さ位置を調整するための部材となっているとともに、この高さ位置調整により、屋根１に不陸があってもこの不陸に拘わらず、ソーラーパネル３を、例えば、屋根１の勾配角度と対応する角度によって屋根１に設置できるようにするための部材となっている。このため、図５に示されているように、高さ位置調整部材２４は複数個用意され、それぞれの高さ位置調整部材２４は、同じ形状、同じ寸法で形成されている。
【００４３】
図７には１個の高さ位置調整部材２４が示されており、高さ位置調整部材２４には、この高さ位置調整部材２４を基礎部材２０の一対の突起部２０Ｂの延出部３３の上に載せたときに、基礎部材２０に配置されている前述の固定ボルト２２の軸部２２Ｂを挿通させるための切欠部５０が形成されている。また、高さ位置調整部材２４の下面には、基礎部材２０の長さ方向となっている高さ位置調整部材２４の長さ方向に延びる一対の凸部５１が、基礎部材２０の幅方向となっている高さ位置調整部材２４の幅方向の間隔を開けて形成されており、これらの凸部５１同士の頂点間の寸法はＷ３である。また、これらの凸部５１同士の内幅間の寸法はＷ４であり、このＷ４は、図５で示している基礎部材２０の一対の突起部２０Ｂの前述した延出部３３同士の内幅間の寸法Ｗ５と同じになっている。
【００４４】
このため、高さ位置調整部材２４を一対の突起部２０Ｂの延出部３３の上に載せたときには、一対の凸部５１の側面が一対の延出部３３の端面に当接することにより、この高さ位置調整部材２４が基礎部材２０に対して基礎部材２０の幅方向にずれることが防止される。したがって、凸部５１は、基礎部材２０に対する高さ位置調整部材２４のずれ防止手段となっている。
【００４５】
また、図７に示されているように、高さ位置調整部材２４の上面には、高さ位置調整部材２４の長さ方向に延びる一対の凹部５２が、高さ位置調整部材２４の幅方向の間隔を開けて形成されており、これらの凹部５２同士の底部間の寸法はＷ６である。このＷ６は、上述した一対の凸部５１同士の頂点間の寸法Ｗ３と同じになっている。このため、図５に示されているように、複数個の高さ位置調整部材２４を上下に重ねて基礎部材２０の一対の突起部２０Ｂの延出部３３の上に載せたときには、下側の高さ位置調整部材２４の凹部５２に上側の高さ位置調整部材２４の凸部５１が嵌合することになり、これにより、上下に重ねられた高さ位置調整部材２４が、高さ位置調整部材２４の幅方向にずれることが防止される。
【００４６】
したがって、これらの凸部５１と凹部５２は、上下に重ねられた高さ位置調整部材２４同士のずれ防止手段となっている。
【００４７】
図１で示されている２個のソーラーパネル３は、基礎部材２０の一対の突起部２０Ｂの延出部３３の上に載せられた高さ位置調整部材２４の上に載置されて、屋根１に設置される。また、２個のソーラーパネル３のうち、屋根１の流れ方向上側に配置されたソーラーパネル３は、このソーラーパネル３の上端に配置された固定部材１１（図２を参照）と、２個のソーラーパネル３の間に配置された固定部材１２（図３を参照）とにより、固定される。また、２個のソーラーパネル３のうち、屋根１の流れ方向下側に配置されたソーラーパネル３は、２個のソーラーパネル３の間に配置された固定部材１２（図３を参照）と、屋根１の流れ方向下側に配置されたソーラーパネル３の下端に配置された固定部材１１（図４を参照）とにより、固定される。
【００４８】
これらの固定部材１１，１２のうち、固定部材１１は、図２及び図４に示されているように、図５で説明した固定ボルト２２の軸部２２Ｂが上下に貫通する孔が形成された基部１１Ａと、この基部１１Ａの下面に屋根流れ方向に一対形成され、最上の高さ位置調整部材２４の上面に載せられる脚部１１Ｂ，１１Ｃと、基部１１Ａにおける屋根流れ方向の一方の端部から立ち上がり、ソーラーパネル３の上面に当接し、ソーラーパネル３を最上の高さ位置調整部材２４に押し付けるための押付部１１Ｄとからなる。また、固定部材１２は、図３に示されているように、固定ボルト２２の軸部２２Ｂが上下に貫通する孔が形成された基部１２Ａと、この基部１２Ａの下面に屋根流れ方向に一対形成され、最上の高さ位置調整部材２４の上面に載せられる脚部１２Ｂ，１２Ｃと、基部１２Ａにおける屋根流れ方向の両端部から立ち上がり、ソーラーパネル３の上面に当接し、ソーラーパネル３を最上の高さ位置調整部材２４に押し付けるための押付部１２Ｄ，１２Ｅとからなる。
【００４９】
これらの固定部材１１，１２は、固定ボルト２２の軸部２２Ｂに螺合させたナット２５を固定部材１１，１２の基部１１Ａ，１２Ａに当接させてさらに締め付けることにより、高さ位置調整部材２４を介して基礎部材２０に結合されることになり、また、この結合が行われることにより、２個のソーラーパネル３は、押付部１１Ｄ，１２Ｄ，１２Ｅからの押付力により最上の高さ位置調整部材２４に押し付けられて固定される。
【００５０】
なお、図２の固定部材１１と、図４の固定部材１１は、屋根１の流れ方向の向きを逆にして用いられている。また、図１に示されているように、屋根１の流れ方向に配置された上述の２個のソーラーパネル３は、屋根１の流れ方向と直交する方向（屋根の桁行方向）にそれぞれ２個ずつ配置された固定部材１１，１２により固定されている。
【００５１】
以上説明した本実施形態によると、取付具１０の基礎部材２０のベース部２０Ａが、スレート葺き屋根１を形成しているそれぞれのスレート２のうち、一部同士が上下に重なり合っている上側のスレート２Ａと下側のスレート２Ｂとに跨って配置されても、ベース部２０Ａと下側のスレート２Ｂとの間に段差解消部材２１が挿入され、この段差解消部材２１は、上側のスレート２Ａの厚さ寸法Ｔ２と対応する厚さ寸法Ｔ１を有しているため、ベース部２０Ａと下側のスレート２Ｂとの間に生じている上側のスレート２Ａの厚さに相当する分の段差をこの段差解消部材２１により解消できることになり、このため、基礎部材２０をスレート葺き屋根１に安定させて配設できるようになる。
【００５２】
また、段差解消部材２１は、基礎部材２０のベース部２０Ａと下側のスレート２Ｂとの間で上側のスレート２Ａに向かって挿入される挿入長さが調整可能となっているため、基礎部材２０をスレート葺き屋根１の上に配置したときにおける上側のスレート２Ａに対する基礎部材２０の位置に応じて、段差解消部材２１を上側のスレート２Ａにできるだけ近づけて基礎部材２０のベース部２０Ａと下側のスレート２Ｂとの間に挿入することができ、これにより、基礎部材２０をスレート葺き屋根１に一層安定させて配設できるようになる。
【００５３】
図８〜図１０は、このように基礎部材２０のベース部２０Ａと下側のスレート２Ｂとの間で段差解消部材２１が上側のスレート２Ａに向かって挿入される挿入長さを調整した場合を示している。図８は、段差解消部材２１の挿入長さを図５で示したＬ１とした場合であり、このときの前述した止着具３５は、段差解消部材２１に４個設けられている孔４０のうち、孔４０Ａに挿入される。また、図９は、段差解消部材２１の挿入長さを図５で示したＬ２とした場合であり、このときの止着具３５は、段差解消部材２１に４個設けられている孔４０のうち、孔４０Ｂに挿入される。さらに、図１０は、段差解消部材２１の挿入長さを図５で示したＬ３とした場合であり、このときの止着具３５は、段差解消部材２１に４個設けられている孔４０のうち、孔４０Ｃに挿入される。
【００５４】
また、本実施形態では、基礎部材部材２０のベース部２０Ａには、この基礎部材２０を下側のスレート２Ｂや屋根下地材４に止着するための止着具３５を挿通させるための孔３７が形成されているとともに、上述したように、段差解消部材２１には、止着具３５が挿入可能となっている複数の孔４０が、段差解消部材２１の上記挿入方向に間隔を開けて形成されているため、段差解消部材２１を基礎部材２０のベース部２０Ａと下側のスレート２Ｂとの間で上側のスレート２Ａに向かって挿入するための挿入長さを調整する際に、段差解消部材２１に複数形成されている孔４０のうち、止着具３５を挿入する一つの孔４０を選択することにより、止着具３５を基礎部材２０のベース部２０Ａの孔３７と段差解消部材２１の孔４０とに挿入して、これらの基礎部材２０と段差解消部材２１の両方を、止着具３５によりスレート葺き屋根１に確実に固定することができる。
【００５５】
さらに、基礎部材２０のベース部２０Ａには、このベース部２０Ａの孔３７の位置を示すマーク４１が設けられているとともに、段差解消部材２１には、この段差解消部材２１に形成されているそれぞれの孔４０の位置を示すマーク４２が設けられているため、基礎部材２０のベース部２０Ａのマーク４１と、段差解消部材２１のマーク４２とを一致させることにより、止着具３５を挿入する孔３７と孔４０とを自ずと一致させることができ、したがって、これらの孔３７と４０を一致させる作業を容易に行えるようになる。
【００５６】
さらに、段差解消部材２１には、この段差解消部材２１を基礎部材２０のベース部２０Ａと下側のスレート２Ｂとの間に挿入したときに、基礎部材２０のベース部２０Ａからはみ出すことになるはみ出し部２１Ｂが設けられており、段差解消部材２１のマーク４２は、このはみ出し部２１Ｂにも設けられているため、段差解消部材２１を基礎部材２０のベース部２０Ａと下側のスレート２Ｂとの間に挿入したときに、段差解消部材２１の孔４０が基礎部材２０のベース部２０Ａによって隠されても、段差解消部材２１に設けられているマーク４２を基礎部材２０のベース部２０Ａに設けられているマーク４１と一致させるまで、段差解消部材２１を基礎部材２０のベース部２０Ａと下側のスレート２Ｂとの間で上側のスレート２Ａに向かって挿入する作業を容易に行うことができ、この作業により、止着具３５を挿入するための基礎部材２０のベース部２０Ａの孔３７と段差解消部材２１の孔４０とを自ずと一致させることができる。
【００５７】
また、本実施形態では、基礎部材２０の一対の延出部３３の上には、基礎部材２０に対するソーラーパネル３の高さ位置を調整するための部材となっているこの高さ位置調整部材２４が配置され、この高さ位置調整部材２４の下面には、基礎部材２０の一対の延出部３３に対して高さ位置調整部材２４がこの高さ位置調整部材２４の幅方向にずれることを防止するための凸部５１が設けられているため、基礎部材２０に対して高さ位置調整部材２４を、この高さ位置調整部材２４の幅方向にずれることなく、安定させて配置することができる。
【００５８】
さらに、基礎部材２０の一対の延出部３３の上に上下に重ねられて配置される高さ位置調整部材２４の個数を選択することにより、屋根１に不陸があってもこの不陸に拘わらず、ソーラーパネル３を、例えば、屋根１の勾配角度と対応する角度によって屋根１に設置できるようになる。
【００５９】
図８〜図１０には、このように基礎部材２０の一対の延出部３３の上に上下に重ねられて配置される高さ位置調整部材２４の個数が選択されている場合も示されている。図８では、１個の高さ位置調整部材２４が用いられ、図９では、２個の高さ位置調整部材２４が用いられ、図１０では、３個の高さ位置調整部材２４が用いられている。
【００６０】
そして、このように基礎部材２０の一対の延出部３３の上に複数個の高さ位置調整部材２４が上下に重ねられて配置される場合には、下側の高さ位置調整部材２４の上面には凹部５２が、上側の高さ位置調整部材２４の下面には凸部５１がそれぞれ設けられ、これらの凹部５２と凸部５１は嵌合可能となっているため、複数個の高さ位置調整部材２４を上下に重ねて基礎部材２０の一対の延出部３３の上に配置しても、これらの高さ位置調整部材２４が高さ位置調整部材２４の幅方向にずれることを防止でき、これらの高さ位置調整部材２４を、基礎部材２０の一対の延出部３３の上に安定させて上下に重ねて配置できるようになる。
【００６１】
以上説明した実施形態では、複数個用意される高さ位置調整部材２４は同じ厚さ寸法のものであったが、図１１の実施形態で示しているそれぞれの高さ位置調整部材１２４，２４２，３２４は、厚さ寸法が異なっている。これらの高さ位置調整部材１２４，２４２，３２４はそれぞれ複数個用意され、これらの高さ位置調整部材１２４，２４２，３２４の任意な個数を任意に組み合わせることにより、基礎部材２０に対するソーラーパネル３の高さ位置を微妙に調整することが可能となる。
【００６２】
なお、高さ位置調整部材１２４，２４２，３２４の長さ方向及び幅方向の寸法は、前記実施形態の高さ位置調整部材２４の長さ方向及び幅方向の寸法と同じであり、また、高さ位置調整部材１２４，２４２，３２４にも、高さ位置調整部材２４と同じく、切欠部５０と凸部５１と凹部５２が設けられている。
【００６３】
また、基礎部材２０の一対の延出部３３の上に高さ位置調整部材を配置しなくても、ソーラーパネル３を、例えば、屋根１の勾配角度と対応する角度によって屋根１に設置できる場合には、高さ位置調整部材を用いなくもよい。
【産業上の利用可能性】
【００６４】
本発明は、スレート葺き屋根の上に設置されるソーラーパネル等の屋根上設置物をスレート葺き屋根に取り付けるために利用することができる。
【符号の説明】
【００６５】
１  スレート葺き屋根
２  スレート
２Ａ  上側のスレート
２Ｂ  下側のスレート
１０  取付具
２０  基礎部材
２１  段差解消部材
２１Ｂ  はみ出し部
２４，１２４，２２４，３２４  高さ位置調整部材
３５  止着具
３７  基礎部材の孔
４０  段差解消部材の孔
４１  基礎部材の孔の位置を示すマーク
４２  段差解消部材の孔の位置を示すマーク
５１  高さ位置調整部材の凸部
５２  高さ位置調整部材の凹部
Ｔ１  上側のスレートの厚さ寸法
Ｔ２  段差解消部材の厚さ寸法
【図１】
0005632197.tif 000002
【図２】
0005632197.tif 000003
【図３】
0005632197.tif 000004
【図４】
0005632197.tif 000005
【図５】
0005632197.tif 000006
【図６】
0005632197.tif 000007
【図７】
0005632197.tif 000008
【図８】
0005632197.tif 000009
【図９】
0005632197.tif 000010
【図１０】
0005632197.tif 000011
【図１１】
0005632197.tif 000012